Podtech/llm-jp-corpus-v4-ja_patent huggingface dataset:
(57)【要約】【課題】  本発明は、弁当・惣菜のような平面的な食品容器では一目で食品の中身がわかりにくいので、一目で中身が判別できる食品容器の改善をすることにある。  一目で中身が判別できる食品容器として、カップ容器の縁に立て札代わりに文字表示ができるほどに大きくしたベロの部位を容器本体に設け、文字入りのベロの部位を容器に一体化してなる食品容器を提供する。【解決手段】  本発明は、カップ容器の縁に文字表示ができるほどに大きくしたベロを設け、ベロに文字を入れて容器本体に一体化して作成してみたところ、文字入りのベロの部位が容器本体に立面的に位置し、文字入りの表示が一目で分かりやすく見栄えの良いように設計された食品容器を得たのである。【選択図】図１
2012232796.tif 000002
【特許請求の範囲】
【請求項１】
文字入りのベロの部位を容器本体に一体化してなることを特徴とする食品容器。
【発明の詳細な説明】
【技術分野】
【０００１】  本発明は、弁当・惣菜の食品容器の分野で新しい食品容器を提供する。すなわち、文字の入ったベロの部位を容器本体に一体化してなる食品容器を提供する。
【背景技術】
【０００２】  これまで食品容器は、食品の中身を包む目的で色々な食品分野で使用されている。従来の食品容器は、プラスチック容器、アルミカップ容器、紙容器などが主であるが、これらは、食品の中身を入れる容器と蓋との組み合わせた蓋付き容器、あるいは、惣菜などを入れる蓋のない容器、又は、袋状の物などで構成されているのが実情である。従って、消費者に販売される商品としては、その訴求する内容を示すために食品容器の表面又は裏面に色々なデザイン、表示をしている。小売店では商品そのものが平面的であるので、店頭ではそのまま陳列すると消費者の視線に留まりにくい。そのために、商品を傾斜させるとか懸垂したりして陳列し販売している状況である。また、商品名を記載した立て札標示を設置し、消費者に分かりやすくするなどの工夫をしている。さらに、スタンディングパウチ容器のようなものもある。これら食品容器は全体的に平面的な容器が多いので、一目で商品の中身がわかるように陳列状態を工夫したものであるが、一目では商品の中身が判別しにくいという欠点があり、一目で中身が判別できる食品容器の改善が求められている。
【発明の開示】
【発明が解決しようとする課題】
【０００３】  本発明は、弁当・惣菜のような平面的な食品容器では一目で食品の中身がわかりにくいので、一目で中身が判別できる食品容器の改善をすることにある。
一目で中身が判別できる食品容器として、カップ容器の縁に立て札代わりに文字表示ができるほどに大きくしたベロの部位を容器本体に設け、文字入りのベロの部位を容器に一体化してなる食品容器を提供する。
【課題を解決するための手段】
【０００４】  本発明者は、食品容器の蓋についているベロに着目し、従来ベロは手でつまめる程度の大きさであるが、ベロを文字表示ができるほどに大きくし、文字入りのベロの部位を容器本体に一体化した図面を防水加工紙やアルミ箔に図案化して、折れ線を設けて切り抜きし、ベロ付きの容器の成型品を得た。【０００５】  従って、本発明は、ベロを立て札代わりに文字表示ができるほどに大きくし、ベロに文字を入れて容器本体の縁に一体化して作成してみたところ、一目で食品の中身がわかる食品容器を見出したものである。【０００６】  従って、本発明は、文字入りのベロの部位を容器本体に一体化してなることから、文字入りのベロの部位が立面的に容器本体に位置し、文字入りの表示が一目で分かりやすく見栄えの良いように設計された食品容器である。【０００７】  通常、食品容器はナフサ原料からペレットを作り、このペレットから色々な成型加工法によりプラスチック容器が成形される。例えば、射出成型法で原料ペレットを押し出し機で加熱工程の加熱シリンダーへ押し出し、ショットし、金型成型機で成型し、冷却・取り出すことによって成型品が得られる。
本発明品は、この手段で、金型成型機でベロの部位を成型品に一体化して成型することによって得られる。
【発明の効果】
【０００８】  本発明品は、文字入りのベロの部位を容器本体と一体化してなる食品容器であり、文字入りのベロの部位が立面的に位置し、文字入りの表示が一目で分かりやすく見栄えの良い商品価値の高い食品容器である。
また、ベロには文字と絵を組み合わせた文字・絵入りの印刷をすることもできるので、容器の美粧性を高めることもできる。
【発明を実施するための最良の形態】
【０００９】  図１は、紙の容器本体▲１▼の縁に沿って文字入りのベロ▲２▼の部位を設けて切り取り成型することを特徴とする、本発明に係る食品容器の模式図である。容器本体▲１▼は惣菜品を入れる形状で丸型、四角形、直方体をしている。ベロ▲２▼の部位に文字を入れ、容器本体▲１▼に入れたものが何かを一目でわかるようにした食品容器である。【００１０】
【産業上の利用可能性】
【００１１】  本発明品は、食品容器として文字入りの表示が一目で分かりやすく見栄えの良い商品価値の高い食品容器であり、弁当・惣菜などの容器として使うと、ベロに記載された表示により中身が一目でわかりやすくなり、また、小売店頭で平面的に陳列しておいても大きなベロに記載された表示により、内容物が一目でわかりやすくなり、販売効率の向上が得られる。【００１２】  また、本発明品は、最近商品の小型化により食品の表示が容易でないところ、容器の縁に沿って大きくしたベロの部位を設けることによって表示できるようになり、内容物が一目でわかりやすく見た目の外観もよく、商品価値の向上した食品容器として産業上の利用可能性を有するものである。
【図面の簡単な説明】
【００１３】
【図１】  本発明に係る食品容器の立面図である。
【符号の説明】
【００１４】  ▲１▼    食品容器の容器本体
▲２▼    ベロの部位
【図１】
2012232796.tif 000003
(57)【要約】【課題】解決しようとする問題点は、本体とキャップが分離することによる利便性の不都合が生じてきた。【解決手段】キャップを能動側キャップと受動側キャップに分け、キャップ自体が容器から分離することを防止した。【選択図】図１
2012232797.tif 000002
【特許請求の範囲】
【請求項１】
キャップと本体が分離することを防ぐ非分離式キャップ
【発明の詳細な説明】
【技術分野】
【０００１】  本発明は、キャップが抜けることを防ぎ、本体とキャップが分離することを防ぐものである。
【背景技術】
【０００２】  本発明はキャップを非分離することにより、キャップの分離による障害を防ぐ。【０００３】  キャップを非分離式としたために、受動側のキャップ面と能動型キャップ面に分かれる構造となる。【０００４】受動型キャップ面は、図１−１で示す能動型キャップ面に密着することにより容器の機密性を保持する。【０００５】  図１−２で示す能動型キャップはねじり込みの動作により容器との密着面との離間を生じさせることができる。
【先行技術文献】
無
【特許文献】
【０００６】
【発明の概要】
【発明が解決しようとする課題】
【０００７】  解決しようとする問題点は、キャップを能動側キャップと受動側キャップに分け、キャップ自体が容器から分離することを防止することである。
【課題を解決するための手段】
【０００８】  本発明は、キャップが抜けることを防ぎ、本体とキャップが分離することを防ぐことを最も主要な特徴とする。
【発明の効果】
【０００９】  本発明のキャップは、キャップ自体が容器から分離することを防止することができる。
【図面の簡単な説明】
【００１０】
【図１】図１は非分離式キャップの実施方法を示した説明図である。（実施例１）
【発明を実施するための形態】
キャップを能動側キャップと受動側キャップに分け能動側のねじり込みの動きにより容器の開放ができる形態とした。
【実施例１】
【００１３】  図１は、本発明装置の１実施例である。
【産業上の利用可能性】
【００１４】  本体とキャップが分離することを防ぐことにより、キャップの廃棄が容易となり、資源リサイクルに貢献できる。
【符号の説明】
【００１５】１    能動側キャップ
２    受動側キャップ
【図１】
2012232797.tif 000003
【手続補正書】
【提出日】平成23年5月7日(2011.5.7)
【手続補正１】
【補正対象書類名】図面
【補正対象項目名】図１
【補正方法】変更
【補正の内容】
【図１】
2012232797.tif 000004
(57)【要約】【課題】本発明は空気に触れると硬化する溶剤が、瓶の口やふたの部分に付着しない様にするものである。接着剤や塗料を入れた瓶から中の溶剤を刷毛で取り出すとき、刷毛についたしずくが粘性のために糸を引き瓶の口に付着したり、刷毛のしずくを切ろうとして口のふちで刷毛を拭うことにより口付近に溶剤が付着した。そのままの状態でふたを閉めると固まって、ついには蓋が開閉できなくなる。【解決手段】これを解決するために、内蓋の底面に刷毛が入る穴を空け、残った底面で刷毛の余分なしずくを拭い落とすようにすれば、溶剤が糸を引くこともなく、瓶のふちで刷毛を拭わなくてすみ、瓶の口周辺が溶剤で硬くなることはない。【選択図】図２
2012232798.tif 000002
【特許請求の範囲】
【請求項１】
内蓋の底面に刷毛が出入りできる穴を開け、残りの底面で刷毛を拭う機能を有する瓶の内蓋。
【請求項２】
瓶の内部にすっぽり嵌る円筒の上部に棒を横に渡し、この棒で刷毛を拭う機能を有する円筒。
【発明の詳細な説明】
【発明の詳細な説明】
【０００１】本発明は、空気に触れると硬化する溶剤が瓶の口付近に付着して、蓋が開閉できなくなるのを防止する、ガラス瓶や缶の内蓋を提供するものである。
【背景技術】
【０００２】接着剤や塗料を入れた瓶から中の溶剤を刷毛で取り出すとき、刷毛についたしずくが粘性のために糸を引き瓶の口に付着したり、刷毛のしずくを切ろうとして瓶の口のふちで刷毛を拭うことにより口付近に溶剤が付着した。そのままの状態でふたを閉めると固まって、ついには蓋が開閉できなくなる。
【発明の開示】
【発明が解決しようとする課題】
【０００３】本発明は空気に触れると硬化する溶剤が、瓶の口や蓋の部分に付着しないようにするものである。
【課題を解決するための手段】
【０００４】そのためには、刷毛についた余分なしずくを瓶の口付近につかないように、瓶の口の内側で拭い落せばよい。
【発明を実施するための実施の形態】
【０００５】そのために内蓋の底面に刷毛が入る穴を空け、残った底面で刷毛の余分なしずくを拭い落とすようにすれば、溶剤が糸を引くこともなく、瓶の口のふちで刷毛を拭わなくてすむ。
【０００６】請求項１について図２に従って説明すると、瓶から刷毛で中の溶剤を取り出すとき、刷毛に付いた余分なしずくを内蓋の底の穴の周囲で拭う。これにより糸状になった粘性溶剤を切り、溶剤が瓶の口に付着するのを防止する。溶剤の乾燥を防ぎたいときは、本内蓋の上にもう一つ別の内蓋をつける。
【０００７】請求項２は内蓋が無いとき又は内蓋が取り付けられないときに、後から刷毛拭いの場所を付加するものである。
【０００８】請求項２について図３に従って説明すると、瓶の内側にすっぽり入れた円筒の上部に棒を横に渡し、この棒で刷毛についたしずくを拭うことにより、瓶の口元に溶剤が付着するのを防止する。これは請求項１の内蓋が用意できない場合や既存の瓶を利用する場合に、後から刷毛拭い可能にするものである。
【０００９】本発明は蜂蜜のような粘性のある食品の瓶にも応用することができる
【図面の簡単な説明】
【００１０】
【図１】刷毛拭い穴開き内蓋の斜視図。
【図２】刷毛のしずくを内蓋の穴で拭っているところを示す斜視図。
【図３】刷毛のしずくを渡し棒で拭っている斜視図。
【符号の説明】
【００１１】１  ガラス瓶
２  内蓋
３  内蓋の穴の部分
４  内蓋の底部分
５  溶剤のしずく
６  糸を引いた溶剤
７  刷毛
８  渡し棒付き円筒
９  渡し棒
【図１】
2012232798.tif 000003
【図２】
2012232798.tif 000004
【図３】
2012232798.tif 000005
(57)【要約】      （修正有）【課題】多目的に利用でき、安価で手軽におしゃれができ、楽しめ、書類挟みや、ネッカチーフの飾り止め、カーテン止め、便利小物などに使える多目的クリップを提供する。【解決手段】構造上一本歯のほうがふさわしい物に対して一本歯クリップ１を使うことが出来、しっかり挟みたい物には挟める構造の物を使い、リングのように使いたいときは、一本歯の先を合わすことでリング使いも出来る。また、用途に応じて大きさや素材を考慮する。【選択図】図１
2012232094.tif 000002
【特許請求の範囲】
【請求項１】
一本歯のクリップは、ネックレスだけでなく、穴あきノートやカードなど、一本歯が有効な物に対して、多目的に使うことが出来る。
【請求項２】
一本歯については、挟む構造の物と、リングとしても使える構造の物があり用途に合わせて使うことが出来る。
【発明の詳細な説明】
【技術分野】
【０００１】本発明は、ネックレスの長さを簡単に短く調節ほか、穴あきカードやノートを穴で止めたり、ネッカチーフの飾り止めに使ったり、カーテン止めなど、多目的に使えるクリップである。【０００２】クリップは通常挟む部分に幅があったり、何本もの歯があるものがあったりで、ものによっては使えないことがある。そして、一本で止める物については、リングや、帯状で両端をホックのように止める物はあったが、ワンタッチで一本歯でクリップになっているものは、市場ではみかけなかった。
【先行技術文献】
【０００３】
【特許文献】
【特許文献】特開  ２０１１−０５６２３６  ネックレスを短く使うクリップ
【発明の概要】
【発明が解決しようとする課題】
【０００４】クリップは使い方により形を選ぶが、一本歯のクリップは見かけたことがなかった。もし、一本歯のクリップがあれば、穴あきのノートやカードのようなものに対しては、はずれにくく手軽である上に、書類を楽に動かせる。ネックレスを短く使うクリップの一本歯の構造は、ネックレスを短くするだけでなく、短くさえなればいいといったかっこ悪さを、あまりの部分のネックレスに１本歯クリップを装飾的に加えることにより、より美的にすることさえ出来るといったおしゃれのための使い方がある。他にも一本歯のものが有効な物としては、例えばスカーフ止めも輪に通して固定でなく、止めたい場所に手軽に美的にワンタッチでとめることが出来るなど、多目的に使える。だから、色々なサイズ、色、装飾があれば、色々な物に対応でき、便利で楽しく使うことが出来る。
誰にでも簡単に使えるこのクリップは、物によっては、形状的に一本歯のほうが有効なものがあるという課題を解消するためになされたものである。
【課題を解決するための手段】
【０００５】構造上１本歯クリップにすることで、平たいクリップや、何本も歯のある構造のクリップでは挟めない、傷つけてしまう物でも、ワンタッチでしっかり挟み、また、固定することができる。一本歯の先を合わせることで挟む部分をリングとして使うこともできる。
【発明の効果】
【０００６】穴あきノートやカードなどをワンタッチで穴に通して動く状態でファイルできるので、進行形の事柄をクリップしておくと便利である。ネックレスも短くしっぱなしで見苦しくなるところも、装飾された一本歯クリップで挟むだけで飾ったかのように美的になる。ネッカチィーフやちょっとした小物も一本歯なので、好きな位置に親指と人差し指でまとめた感じに止めることが出来る。カーテンを止めたり等、アイデアしだいで多目的に使うことが出来る。
【図面の簡単な説明】
【０００７】
【図１】斜め横から見た図
【図２】下から見た図  挟むもの・リングのもの
【発明を実施するための形態】
【０００８】以下本発明の実施の形態について説明する。
１本歯のクリップである。挟み固定する形は図２で、リング使いするときは図３が下から見た形である。
素材は使う物に応じて考慮する。ネックレスに使う場合は傷つきにくい素材で作ったり触れる部分に柔らか素材を貼ったりカバーしたりすることもある。リングに使うときは、しっかりした素材必要になってくる。
【符号の説明】１  クリップ本体
２  とめピン
３  ばね
【図１】
2012232094.tif 000003
【図２】
2012232094.tif 000004
(57)【要約】      （修正有）【課題】歩行の際の両足にかかる負担を軽減し、転倒することのない歩行を可能とする。【解決手段】サドル２をガススプリング７の反発力を利用して、体重の一部を支える。又、体格差を補う為の送りネジ６を利用して、サドル２の高さの調整を計る。フレーム１は、歩行の際の身体を保護する。送りネジ６の上端に取り付けられた昇降ハンドル５を廻すことにより、上部サドルリンク３と下部サドルリンク４を介して、送りネジ６およびサドル２を一体で昇降させることができ、使用者の体形に合わせて最適の歩行補助高さが得られる。また、ガススプリング７の上部接続位置を変えることでサドル２に及ぼす反発力すなわち利用者の両足にかかる負荷を段階的に調節することができる。【選択図】図２
2012232093.tif 000002
【特許請求の範囲】
【請求項１】
走行用の車輪を持ち、身体を保護するフレームを有し、歩行を補助するためのサドルを持ち、このサドルの下に設置したガススプリング又はコイルスプリングの反発力を利用し、体重の一部を支えスプリングの先端とサドルとの接続位置を変えることで、脚部へかかる負担を段階的に変化できることを特徴とする、歩行補助器具である。
【請求項２】
歩行に最も適した座面の高さを得るために、ハンドルを回すことで送りネジの回転を利用して座面高を調節できることを特徴とする、歩行補助器具である。
【発明の詳細な説明】
【技術分野】
【０００１】本発明は、歩行補助に関するものであり、歩行の際の負担を軽減するものである。
【発明の概要】
【発明が解決しようとする課題】
【０００２】従来、「歩行」という動作には全体重が両足にかかってしまうため、かなり負担の大きな動作である。この大きな負担は、事故または高齢等により「歩行」が困難な人達にとって非常に過酷なものである。本発明は、このような人達の過酷さを解決することを課題とする。
【課題を解決するための手段】
【０００３】この課題を解決するための請求項１の発明は、両足にかかる負担を軽減するためにサドル構造を利用し、サドルの下にガススプリングを設け、下から体重の一部を支えることを特徴とする、歩行補助器具である。又ガススプリングの上部の支持位置を変えることによって下から体重の一部を支える力を複数段階に変化出来ることを特徴とする、歩行補助器具である。負担の軽減作用を複数段階にすることにより、リハビリ訓練にも適している。【０００４】また、請求項２の発明は、送りネジを用いてサドルの高さを歩行に最も適した高さに無段階に調節できることを特徴とする、歩行補助器具である。
【発明の効果】
【０００５】本発明により歩行困難な人達が自分の意志で、歩行可能となり健康及び社会生活が維持され又本発明の効果として、脚部骨折患者のリハビリー歩行具として評価できるものです。
【図面の簡単な説明】
【図１】本発明器具の中央断面図である。
【図２】本発明器具の各機能が一体化された斜面図である。
【符号の説明】１  フレーム
２  サドル
３  上部サドルリンク
４  下部サドルリンク
５  昇降ハンドル
６  送りネジ
７  ガススプリング
【図１】
2012232093.tif 000003
【図２】
2012232093.tif 000004
(57)【要約】      （修正有）【課題】シーツ及びふとんを折り曲げずに竿又はベランダの柵にかけ、ずり落ちることなく、風に吹き飛ばされない、シーツ及びふとん用の洗たく物用ハンガーを提供する。【解決手段】細長い棒１をＵ字形に折り曲げて、両端を外側へ円形に折り曲げ、直線部に押さえ治具２を取り付けたハンガーを、竿４又はベランダの柵に引っかけ、シーツ３又はふとんを２つ折りにせずにハンガーの中に入れて、押さえ治具２で押さえて固定し装着する。【選択図】図２
2012232095.tif 000002
【特許請求の範囲】
【請求項１】
剛性を有する材質の細長い棒（１）をＵ字形に折り曲げて、両端を円形に外側に折り曲げて、弾性を有する材質の押さえ治具（２）を当該棒（１）の直線部に回転自在に取り付けたシーツ及びふとん用の洗たく物用ハンガー。
【発明の詳細な説明】
【発明の詳細な説明】
【技術分野】
【０００１】  本発明は、シーツ及びふとんを干す為の洗たく物用ハンガーに関する。
【背景技術】
【０００２】  従来のシーツ及びふとんを干す方法では、シーツ及びふとんを概略等分に折り曲げて、竿又はベランダの柵にかけている。
【発明が解決しようとする課題】
【０００３】  従来の方法では、シーツ及びふとんを折り曲げて、竿又はベランダの柵にかけるので、折り曲げられた内側には空気がこもり光が当たらないので乾きにくくて、完全に等分に折り曲げないと一方が他方より重くなり重い方にずり落ちる恐れがあり、又風が吹いて飛ぶ恐れがあるのでハサミ状の押さえ治具でシーツ及びふとんをはさんで竿又はベランダの柵に固定している。
【０００４】  本発明はシーツ及びふとんを折り曲げずに竿又はベランダの柵にかけ、ずり落ちることなく、風に吹き飛ばされないようにすることを目的としている。
【課題を解決する為の手段】
【０００５】  上記目的を達成するために、剛性を有する材質の細長い棒をＵ字形に折り曲げて両端を円形に外側に折り曲げ、弾性を有する材質の押さえ治具をＵ字形の形状の直線部分の適当な個所に当該棒に対して回転自在に取り付けたものである。
【発明を実施するための形態】
【０００６】  第１図において、剛性を有する材質の細長い棒１をＵ字形に折り曲げ、一方の端をベランダの柵にもかけらるように大きく外側に円形に折り曲げて、引っかけ部７を構成し、他端はシーツ又はふとんを円滑に出し入れ出来るように外側に小さく円形に折り曲げて、棒１の２つの直線部の一方で引っかけ部７の反対側の直線部に一方をシーツを押しつけれるように十分長くし、他方をふとんを押しつける為に若干短かくした弾性を有する材質の押さえ治具２を回転自在に取りつけている。押さえ治具２は棒１の２つの直線部のいずれにも取り付け可能である。第２図はシーツ３を、せんたく物用ハンガーに装着した場合の側面から見た側面図であり洗たく物用ハンガーの引っかけ部７を竿４に引っかけて、シーツ３を、せんたく物用ハンガーの上部の開口部より挿入し、シーツ３の下部が、せんたく物用ハンガーの下部に触れる位の位置にし、押さえ治具２を棒１の直線部の周りに回転させ、シーツ３の上部を、せんたく物用ハンガーの直線部のうち押さえ治具２の対向する直線部に押さえ治具２の長い方で押しつけて固定している。第３図はふとん５を、せんたく物用ハンガーに装着した場合の側面図で、押さえ治具２の短かい方でふとん５を押さえ固定していること以外は第２図と同じである。第５図は、せんたく物用ハンガーの引っかけ部７を、ベランダの柵にかけてシーツ３を装着した場合の側面図である。せんたく物用ハンガーをベランダの柵にかけてふとんを装着する場合の側面から見た場合の側面図は、図３における竿がベランダの柵になる以外は図３と全く同じなので省略する。又せんたく物用ハンガーは１本ではシーツ３及びふとん５は不安定となり落下する可能性が大で、本数が多い程安定するが、最小４本は必要であると考えられるので、４本使用して、シーツ又はふとんを装着した場合、図４において竿にせんたく物用ハンガー４本をかけた場合の正面図を、図６において、ベランダの柵にせんたく物用ハンガー４本をかけた場合の正面図を示す。
【発明の効果】
【０００７】  シーツ及びふとんを２つ折にしないので、全体に太陽の光があたり、よく乾き、旦つベランダの柵にはゴミ等が附着していて、シーツ及びふとんがベランダの柵に触れないので清潔である。シーツ及びふとんは、治え治具で固定されているので、風で吹き飛ばされるないし、落下しようとしてもせんたく物用ハンガーの底部に引っかかり落下しない。
【図面の簡単な説明】
【図１】  せんたく物用ハンガーの側面図
【図２】  せんたく物用ハンガーを竿にかけて、シーツを装着した場合の側面図
【図３】  せんたく物用ハンガーを竿にかけて、ふとんを装着した場合の側面図
【図４】  せんたく物用ハンガー４本を竿にかけて、シーツ又はふとんを装着した場合の正面図
【図５】  せんたく物用ハンガーをベランダの柵にかけてふとんを装着した場合の側面図
【図６】  せんたく物用ハンガー４本をベランダの柵にかけてシーツ又はふとんを装着した場合の正面図
【符号の説明】  １．棒
２．押さえ治具
３．シーツ
４．竿
５．ふとん
６．ベランダの柵
７．引っかけ部
【図１】
2012232095.tif 000003
【図２】
2012232095.tif 000004
【図３】
2012232095.tif 000005
【図４】
2012232095.tif 000006
【図５】
2012232095.tif 000007
【図６】
2012232095.tif 000008
(57)【要約】【課題】従来体内にその一部があるメデイカル留置デイバイスの表面に抗菌薬や抗血栓薬を含有さし、細菌付着によるバイオフイルムや血栓形成を防止していたが、有効期限が短かくその延長が求められていた。【解決手段】メデイカル留置デイバイスの体外部分に振動素子を貼り付けて、メデイカル留置デイバイスをその長軸方向に振動さし、かつその振動強度又は振動数を制御することで、有効薬剤溶出時間を延長する。【選択図】図１
2012232096.tif 000002
【特許請求の範囲】
【請求項１】
メデイカル留置デイバイスに着脱可能な振動発生装置。
【請求項２】
メデイカル留置デイバイスを長軸方向に振動さす請求項１記載のメデイカル留置デイバイスに着脱可能な振動発生装置。
【請求項３】
振動強度又は振動数を制御できる請求項１記載のメデイカル留置デイバイスに着脱可能な振動発生装置。
【請求項４】
メデイカル留置デイバイスに着脱可能な振動発生装置とメデイカル留置デイバイス間に陰圧をかけ、両者を密着させる請求項１記載のメデイカル留置デイバイスに着脱可能な振動発生装置。
【発明の詳細な説明】
【技術分野】
【０００１】  本発明は、メデイカルデイバイスの血栓やバイオフイルム防止又メデイカル留置デイバイス関連感染症防止装置に関する。
【背景技術】
【０００２】  従来のメデイカル留置デイバイスは、抗血栓剤又は抗菌剤をコーテイングし、自然に薬剤が溶出していた。
【先行技術文献】
【特許文献】
【０００３】
【特許文献１】特開２００９−２４７９１０号公報
【特許文献２】特開２００９−２４７０９号公報
【特許文献３】特開２００５−３３４２１６号公報
【特許文献４】特許公表２０１１−５１２８９５公報
【非特許文献】
【０００４】
【非特許文献１】エデストロムジパン情報コーナー
【非特許文献２】バイオフイルム入門−環境の世紀の新しい微生物像  日本微生物生態学会バイオフイルム研究会編
【発明の概要】
【発明が解決しようとする課題】
【０００５】  従来の体内留置型メデイカル留置デイバイスは、特許文献１記載のように抗菌剤や抗血栓剤をコーテイングし、一定のパターンで自然に薬剤が溶出していたので、人体に有害でなく効果が発揮される時間が短かかった。
【課題を解決するための手段】
【０００６】  そして、本発明は上記目的を達成するため、体内のメデイカル留置デイバイスを振動させ、かつ振動強度や振動数を制御することで薬剤溶出速度を一定にしている。
【発明の効果】
【０００７】  本発明メデイカル留置デイバイスに着脱可能な振動発生装置は上記の様な形態をとっているので、メデイカル留置デイバイスをその長軸方向に振動さすことにより、薬剤を混入したコーテイング層に粗密波を生じさせ、そのコーテイング層繊維間の水又は油を一種のポンプ効果でかくはんして、薬剤の溶出を容易にしている。【０００８】  この時振動強度又は振動数を上げることにより薬剤の溶出速度を向上さすことができ、最初は振動強度又は振動数を小さくし、だんだん大きくすることによりメデイカル留置デバイスにコーテイングされた薬剤の溶出速度を一定に制御し、コーテイングされた薬剤を安全にかつ有効に利用できる。又比較的難溶性の塩化銀粒子も有効に利用できる。【０００９】  又メデイカル留置デイバイスに着脱可能となっているので、従来のどのメデイカル留置デイバイスにも簡単に装着でき安全でかつ経済的となっている。【００１０】  非特許文献２に記載されているように、メデイカル留置デイバイスを振動させることにより血小板や細菌の付着を防止する効果がある。
【図面の簡単な説明】
【００１１】
【図１】メデイカル留置デイバイスに着脱可能な振動装置使用時の断面図
【発明を実施するための形態】
【００１２】  以下、本発明の実施例を図１に基づいて説明する。
【実施例】
【００１３】  メデイカル留置デイバイス１の体外部分の周囲に、多数の振動素子２をプラスチツク膜３で連結した本発明メデイカル留置デイバイスに着脱可能な振動発生装置４を巻きつける【００１４】  そして排気管５で、メデイカル留置デイバイス１と本発明メデイカル留置デイバイスに着脱可能な振動発生装置４との間にある空気６を排気し、陰圧により両者を密着さす。【００１５】  そして多数の振動素子２を同調して振動さすことにより、メデイカル留置デイバイス１をその長軸方向に振動さしている。
【産業上の利用可能性】
【００１６】  本発明は、メデイカル留置デイバイスである中心静脈カテーテル、腹膜透析用カテーテル、気管カニューレ等に利用できる。
【符号の説明】
【００１７】１  メデイカル留置デイバイス
２  振動素子
３  プラスチツク膜
４  メデイカル留置デイバイスに着脱可能な振動発生装置
５  排気管
【図１】
2012232096.tif 000003
(57)【要約】【課題】咬み合せを記録するワックスは、変形収縮が著しく大きく精密さに欠ける。また、ワックスが軟らかい時間内に操作をしなければならず、急いで行う結果、正しい位置での咬み合わせが記録できないことが多い。結果、操作時間を延長するため、ワックスを加熱しすぎての火傷の危険性があった。【解決手段】基礎床に接着剤でつける材料を、歯科用シリコーン印象材のパテにする。【選択図】図１
2012232083.tif 000002
【特許請求の範囲】
【請求項１】
基礎床に歯科用シリコーンのパテを用いたことを特徴とする咬合床。
【発明の詳細な説明】
【技術分野】
【０００１】  この発明は、新しい咬み合わせの記録方法に関する。
【背景技術】
【０００２】  従来の咬み合わせの記録方法はワックス（蝋）を用いたものである。
【発明の概要】
【発明が解決しようとする課題】
【０００３】  しかしながら、以上の技術によれば、ワックスは変形収縮が著しく大きく（溶解後から３０℃で７％変形収縮）、精密さに欠ける。また、ワックスが軟らかい時間内（１０〜２０秒）に操作をしなければならず、急いで行う結果、正しい位置での咬み合わせが記録できないことが多い。操作時間を延長するため、ワックスを加熱しすぎて火傷の危険性もある。そこで、この発明は精密かつ正確な位置で安全に咬み合わせを記録をすることを課題とする。
【課題を解決するための手段】
【０００４】  以上の課題を解決するために、この発明は、変形収縮が小さく、かつ操作時間も長く、加熱による火傷の危険性のない歯科用シリコーン印象材のパテを用いたことを特徴とする咬み合わせの記録方法である。
【発明の効果】
【０００５】  この発明によれば、咬み合わせの記録に歯科用シリコーン印象材のパテを用いたことで、咬み合わせの記録精度が著しく良くなり（変形収縮率２０〜３０％が０．１％まで減少）、操作時間が延長されたことで、慌てず正しい位置での咬み合せの記録ができ、加熱が必要ないことから、火傷の心配なく咬み合せの記録ができる。
【図面の簡単な説明】
【０００６】
【図１】この発明の一実施形態を示す写真である。
【図２】従来技術を示す写真である。
【発明を実施するための最良の形態】
【０００７】  この発明の一実施形態を、図１に示す。
基礎床の材料はレジンで出来ており、板状で歯肉にぴったりのせられる形態。この基礎床へ接着剤を塗り、その上に食パンの形を縮小したような歯科用シリコーン印象材のパテの塊を押し付け、しっかり基礎床と接着させる。【０００８】「実施形態の効果」
この実施形態によれば、歯肉にぴったりのせられた基礎床に、歯科用シリコーン印象材のパテを使用することにより、咬み合せの記録精密が向上した。操作時間の延長で正しい位置での咬み合せの記録が落ち着いてできる。加熱が必要ないことから、火傷の心配がない。
【符号の説明】
【０００９】図１  １  基礎床              ２  歯科用シリコーン印象材のパテ
図２  １  基礎床              ２  ワックス
【図１】
2012232083.tif 000003
【図２】
2012232083.tif 000004
(57)【要約】      （修正有）【課題】減圧の速度を目視確認することができる押圧止血装置を提供する。【解決手段】加圧バッグ１と、液体１９を入れた気密容器４０と、その液体上部空間に流量調整弁１３を連通し、液体下部へ前記加圧バッグ１から導いた管を連通したもので、加圧バッグ１から漏出した空気が密閉容器４０の液体中を気泡になって浮上し、しかもその液体の位置エネルギーに伴う圧力と加圧バッグ４０内圧力が均衡すると漏出が自動的に止まるようにする。【選択図】図４
2012232085.tif 000002
【特許請求の範囲】
【請求項１】
加圧バッグと、液体を入れた気密容器と、その液体上部の空間に流量調整弁を連通し、液体下部へ前記加圧バッグから導いた管を連通したことを特徴とする押圧止血装置。
【発明の詳細な説明】
【技術分野】
【０００１】    本発明は、医療診断行為により用いた挿入カテーテルを抜去した後の止血を医師の手を煩わせることなく、安全に実施する為の押圧止血装置に関するものである。
【背景技術】
【０００２】  従来の空圧バッグ圧迫方法では人力で時間を計測しながら数段階に分けて徐々に減圧したり、圧力調整バッグを別途設けてオリフィス弁を介することにより徐々に圧力調整バッグの圧力と均衡するまで減圧する方法があった。【０００３】  しかし、減圧の速度を目視確認する事が困難であり、チューブなどの流量抵抗が不均一になりやすく、初期加圧力から徐々に減圧した時の減圧時間と微妙な残留圧を保つ事が困難であった。
【先行技術文献】
【０００４】
【特許文献】
【０００５】
【特許文献１】特開平７−７９９８３号公報
【発明の概要】
【課題を解決するための手段】
【０００６】  本発明は、加圧バッグ１と、液体１９を入れた気密容器と、その液体１９の上部空間４に流量調整弁１３を連通し、液体下部１４へ前記加圧バッグから導いた管を連通したものである。【０００７】  本発明の加圧装置は、加圧バッグ１から減圧するために漏出した空気が密閉容器下部１４の開口部から液体１９中に放出されて気泡４１になって浮上し、流量調整弁１３から大気中に放出され、その液体１９の開港部までの深さ３によって生じる位置エネルギーに伴う圧力と加圧バッグ内圧力が均衡するまで漏出したら自動的に漏出が止まるように作用する。
【発明の効果】
【０００８】  加圧バック１をカプラ２，１８などにより着脱可能に接続したチューブ１７が三方弁１６とかゴム栓１５などを介して、密閉容器内の液体１９下部に連通した構成により、加圧バッグ１から減圧のために漏出した空気が密閉容器の液体中を気泡４１となって浮上するため、気泡発生間隔を視覚確認する事で漏出速度が目視算定可能になり、前記流量調整弁１３にて設定された漏出速度で加圧バッグ内の圧力の減圧が実行され、しかもその液体の位置エネルギーに伴う圧力と加圧バッグ内圧力が均衡すると漏出が自動的に止まることで、残留圧力を極めて厳密に且つ、無人管理が可能となった。
【実施例】
【０００９】  図１は、本発明装置の加圧バッグを表し、加圧バッグ１の一端に減圧装置、ゴム球ポンプ２０など他の機器と接続可能にする為、プラグカプラ２を取り付けたものである。【００１０】  図２は本発明の減圧装置を表す。密閉容器１０の上部開口部１１にゴム栓１２を介してきわめて微量な気体を漏出可能な流量調整弁１３を設け、下部開口部１４にはゴム栓１５を介して三方弁１６を取り付け、チューブ１７を介してソケットカプラ１８を接続した構成からなり、密閉容器１０の中には残留圧力に応じた深さ３となる量の水とか食塩水とか水銀などの液体１９を入れたもので、このソケットプラグ１８へ前記加圧バック１に設けたプラグカプラ２を係合して連通可能としたものである。【００１１】  例えば、液体として水を入れた場合、残留圧を５０ｍｍＨｇにするためには、前記深さを６８０ｍｍとすれば、加圧バッグ内の圧力が５０ｍｍＨｇに達した時点で加圧バッグ内の圧力と密閉容器内の液体圧力が均衡して減圧は自動的に停止するように作用する。水銀を入れたなら５０ｍｍに設定すれば良いことは無論である。その他食塩水などにすれば濃度に応じた比重から必要な深さを算出して調整するため、きわめて容易に正確な残留圧を設定することが可能である。【００１２】  図３は止血を可能にする為の初期圧力、例えば１２０±２０ｍｍＨｇに達する圧力まで加圧バッグに空気を送り込むためのポンプで、ゴム球ポンプ２０の吹き出し口にチューブ２１を接続し、そのチューブ２１の他端には前記加圧バック１に取り付けたプラグカプラ２と係止して連通するソケットカプラ２２を取り付けたものである。さらに前記三方弁１６の口にホース１７並びにプラグカプラ２を予め接続しておけば、三方弁１６を介して加圧バッグ１へ加圧空気を送り込む事も出来、止血中に早く加圧圧力が下がりすぎて出血が認められた場合に、ゴム球ポンプ２０から加圧空気を補充する事が可能となることは無論である。【００１３】  図４は他の実施例であり、密閉容器４０の形状がＵ字形状のもので、液体上面とＵ字部の上面までの液深さ４２の高さが残留圧の圧力となり、万一加圧バッグ破裂などの事故発生の時、加圧バックの圧力が低くなりすぎて、液体が加圧バッグ側へ漏れ出すのを防止すると共に、Ｕ字形状の片側へ液体が押されている状態を確認する事で、残留圧が確実に保たれているのが遠方からでも確認可能となります。【００１３】  図５は他の実施例で、密閉容器５０が広口ビン状のもので、ゴム栓あるいは密閉蓋５１の上面に二箇所穴を開け、一方に流量調整弁１３を、他方に加圧バッグ１に連通した三方弁１６を接続し、該三方弁１６の下側には液体の下部１４まで延びた管５４を設けたもので、加圧バッグ１から三方弁１６を通って漏出した気体が、該管５４の下側の穴から液体中に気泡４１となって液体１９中に放出して上昇し、それが流量調整弁から大気中に放出され、加圧バッグ内の圧力と液体１９の深さ５２での圧力とが均衡した時に漏出が停止し、加圧バッグ内圧力が設定した残留圧になって保持される。密閉容器５０がビン形状の為、中に入れる液体の出し入れが容易で、設置場所も自由度が大きく取り扱いが極めて便利である。
【図面の簡単な説明】
【図１】は、加圧バッグを表す。
【図２】は本発明の減圧装置、
【図３】はポンプ
【図４】は本装置のほかの実施例、
【図５】は本発明のその他の実施例を示す。
【符号の説明】
【００１４】１    加圧バッグ
２    プラグカプラ
３    ４２  ５２  液体深さ
１０  ４０  ５０  密閉容器
１９  液体
１６  三方弁
１３  圧力調整弁
【図１】
2012232085.tif 000003
【図２】
2012232085.tif 000004
【図３】
2012232085.tif 000005
【図４】
2012232085.tif 000006
【図５】
2012232085.tif 000007
(57)【要約】      （修正有）【課題】揚げ物をすると水分の多い食材等は油はねが多く、火傷の危険や、ガスコンロの汚れ等、面倒なことが多かった。本発明は油はねを防ぎ、黒い網で見えやすい油はね防止ネットを提供する。【解決手段】持ち手２のついた、黒く着色してある網１を、揚げ物をしている鍋の前に出して、油はねを防止する。【選択図】図１
2012232084.tif 000002
【特許請求の範囲】
【請求項１】
網が黒い色をしている、油はね防止ネット。
【発明の詳細な説明】
【技術分野】
【０００１】  本発明は、揚げ物の際に起こる油はねを細かい網で防止するもので、網が黒い色をしているため見えやすく、安全に調理ができるものである。
【背景技術】
【０００２】  揚げ物をすると水分の多い食材は油はねしやすくなる。細かいステンレスの網などで鍋の前でガードすると、油はねは防止できるが、視界が悪くなる事が一般的である。
【発明の概要】
【発明が解決しようとする課題】
【０００３】  従来の油はね防止ネットでは次のような欠点があった。
鍋の前でガードした際、ステンレスの網が光に反射して見通しが悪くなり、揚げ物の手元がよく見えず危険だった。
本発明は、これらの問題点を解決するためになされたものである。
【課題を解決するための手段】
【０００４】  網（１）を黒い色にする。
【発明の効果】
【０００５】  本発明を使用することによって、黒い網が光を反射させず、見通しが良くなる。油はねをガードしながら、調理中の手元が良く見えて安全である。
【図面の簡単な説明】
【０００６】
【図１】本発明の正面図
【発明を実施するための形態】
【０００７】  以下、本発明の実施の形態を説明する。
持ち手（２）のついた、黒く着色してある網（１）を、揚げ物をしている鍋の前に出して、油はねを防止する。
【符号の説明】
【０００８】  １  細かい黒い網
２  持ち手
【図１】
2012232084.tif 000003
(57)【要約】【課題】  本発明は、マスクをつけたときにメガネを曇らせる原因の息を下部へ排出できるように、顔をフィットさせることでフィルター効果を高めるための形状自在機能の部位をマスクの下部に設け、息ぬき口を簡単に形成できるように工夫したメガネが曇らないマスクを提供する。【解決手段】  フィルター効果を高めるための形状自在機能をマスク上部に設けてあるマスクにおいて、マスクの下部に、上部同様または上部より長い形状自在機能の部位を設け、息ぬき口を簡単に形成できるようにしたマスク。【選択図】図１
2012232080.tif 000002
【特許請求の範囲】
【請求項１】
フィルター効果を高めるための形状自在機能をマスク上部に設けてあるマスクにおいて、マスクの下部に、上部同様または上部より長い形状自在機能の部位を設け、息ぬき口を簡単に形成できるようにしたマスク。
【発明の詳細な説明】
【技術分野】
【０００１】  本発明は、マスクをつけたときにメガネを曇らせる原因の息を下部へ排出できるように、顔をフィットさせることでフィルター効果を高めるための形状自在機能の部位をマスクの下部に設け、息ぬき口を簡単に形成できるように工夫したメガネが曇らないマスクに関するものである。
【背景技術】
【０００２】  沢山種類があるマスクの中で、花粉やウィルスなどの侵入予防と息漏れなどによるメガネの曇り止めのために設けた、マスクと顔をフィットさせてフィルター効果を高めるために形状が自在になる機能で、マスクと顔をフィットさせ、花粉やウィルスなどの侵入予防とメガネの曇り止めを行っていた。
また、下部顎部分もマスクのプリーツ機能で、花粉やウィルスの侵入予防を行っていた。
【発明の概要】
【発明が解決しようとする課題】
【０００３】  上記の機能でマスクと顔をフィットさせても息漏れなどを防ぎ切れないため、メガネが曇ることがある。
また、呼吸が荒いときなどはメガネが曇ることを避けるためマスクを外すことがあるので、花粉やウィルスなどの侵入予防や拡散予防はできない。
【課題を解決するための手段】
【０００４】  フィルター効果を高めるための形状自在機能をマスク上部に設けてあるマスクにおいて、マスクの下部に、上部同様または上部より長い形状自在機能の部位を設け、息ぬき口を簡単に形成できるようにしたマスク。
【発明の効果】
【０００５】  上述したように本発明のマスクは、マスクをつけることでメガネが曇ることを不快に思い、マスクをつけずにいた人でも、メガネが曇らないことによりマスクをつけるようになるため、花粉症対策やウィルスおよび伝染性物質の侵入予防効果と拡散予防効果はある。
また、マスクをつける職種で、メガネをかけている人の妨げになるメガネの曇りがなくなることにより、効率などがよくなる効果もある。
【図面の簡単な説明】
【０００６】
【図１】  本発明の正面図。
【図２】  本発明の裏面図。
【図３】  本発明の斜視図。
【図４】  本発明の断面図。
【図５】  本発明の使用状態を示した斜視図。
【図６】  本発明の使用状態を示した断面図。
【発明を実施するための形態】
【０００７】  フィルター効果を高めるための上部形状自在機能（２）をマスク本体（１）の上部に設けてあるマスクの、上部形状自在機能（２）を、マスク本体（１）の下部へ上部同様に設けて構成。
【０００８】  マスク本体（１）の上部形状自在機能（２）を顔の形状でフィットさせ、耳掛けゴム紐（４）を耳にかけ、プリーツ表裏折り目（５．６）を上下に広げ、好み大きさに調整し、下部形状自在機能（３）で息ぬき口（８）を形成し、下部から息が排出できることで、メガネの曇り止め効果を図る。
【０００９】  本発明のマスクは、下部形状自在機能（３）で、息ぬき口（８）が簡単に形成できることで、メガネを曇らせる原因の息を下部へ排気できるため、メガネの曇り止め効果と、伝達効果が上がり、声も聞き取りやすくなる。
また、メガネが曇ることでマスクをつけることを避けていた人もマスクをつけるようになるため、伝染性物質の侵入予防効果と拡散予防効果もある。
【符号の説明】
【００１０】１    マスク本体
２    上部形状自在機能
３    下部形状自在機能
４    耳掛けゴム紐
５    プリーツ表折り目
６    プリーツ裏折り目
７    縫い目
８    息ぬき口
【図１】
2012232080.tif 000003
【図２】
2012232080.tif 000004
【図３】
2012232080.tif 000005
【図４】
2012232080.tif 000006
【図５】
2012232080.tif 000007
【図６】
2012232080.tif 000008
(57)【要約】      （修正有）【課題】壁面の希望する位置に額縁本体を設置し、展示物の設置は額縁本体を外すことなく表面より行うことが出来る額縁を提供する。【解決手段】額縁本体１に数か所の穴を設け，鋲釘ネジなどをその穴を通して壁面に固定させる。その穴の周囲は鋲釘ネジなどの頭がその上に置く展示物４が当たらないように凹んだ形状３を設ける。鋲釘ネジなどの代わりに吸盤を使用する場合は、その穴を利用し額縁本体裏面より固定しておく。展示物を固定する為の額縁表面部２は、すでに壁面に固定された額縁本体に嵌合するように、その周囲に爪状の突起７を設ける。【選択図】図１
2012232078.tif 000002
【特許請求の範囲】
【請求項１】
額縁本体内側に数か所の穴と、その穴の周囲に凹みを設け、鋲釘ネジなどの頭が出ないようにした額縁本体と、額縁本体を壁面に鋲釘ネジなどを其々の穴を通し固定した後、または額縁本体裏側より吸盤を複数取り付けた後、その前面から展示物を固定する為、額縁表面部または額縁表面枠部を額縁本体に嵌合させたことを特徴とする額縁。
【発明の詳細な説明】
【技術分野】
【０００１】本発明は絵画、写真、印刷物、布地等平面作品を壁面に展示する額縁に関するものである。
【背景技術】
【０００２】絵や写真などを壁面に飾る場合、壁面に予め釘ネジや取付金具を打ち込み、それに額縁を架けていたこれまでの方法では望むべき位置に設置することが難しく、さらに複数の額を上下左右に揃えるまたは接して設置する、さらに水平位置だけでなく希望の角度をつけて設置することは困難であった。また展示内容物を差し替える際には、一度額を外し裏面を開けるなどの手間が係った。
【先行技術文献】
【特許文献】
【０００３】
【特許文献１】特開２０００−３４２４１１
【発明の概要】
【発明が解決しようとする課題】
【０００４】これまでの技術によれば額縁を設置する前に壁面に釘やピンなどを予め打っておかねばならなかった。そのことにより額を掛けるまでは希望する位置に設置することが難しかった。そして既に設置された額縁の上下左右に接して、または等間隔で配置することはさらに難しかった。また額縁を斜めの希望する角度で設置することは不可能だった。
本発明は、以上の問題点を解決する為のなされたものである。
【課題を解決するための手段】
【０００５】上記問題点を解決する為の本発明は額縁本体内部に数か所の穴を設け，鋲釘ネジなどをその穴を通して壁面に固定させ、その穴の周囲は鋲釘ネジなどの頭がその上に置く展示物が当たらないように凹んだ形状を設け、鋲釘ネジなどの代わりに吸盤を使用する場合は、その穴を利用し額縁本体裏面より固定しておき、展示物を固定する為の額縁表面部は、すでに壁面に固定された額縁本体に嵌合するように、その周囲に爪状の突起を設ける。
以上の構成よりなる額縁。
【発明の効果】
【０００６】従来難しいとされていた任意の角度をつけて額縁を壁面に設置することを可能にし、希望する位置に容易に設置することも、さらにその周囲に同様に配置することが可能となった。さらにその取付方法から展示物の交換も額縁本体を外すことなく行えることが可能となった。
【図面の簡単な説明】
【０００７】
【図１】本発明の分解斜視図。
【図２】吸盤を用いた場合を示した分解斜視図。
【図３】鋲を用いた場合を示した拡大図面。
【図４】吸盤を用いた場合を示した拡大図面。
【図５】額縁本体の正面図
【図６】裏板と表面部との結合した状態を示した図面である。
【図７】表本発明の分解斜視図。
【発明を実施する為の形態】
【０００８】以下、本発明の実施の形態を説明する。
（イ）額縁本体（１）の内側の数か所に鋲釘ネジなどの固定用部材（４）を壁面につき出す為の穴（８）を設ける。
（ロ）穴（８）の周囲は鋲釘ネジなどの固定用部材（４）の頭が、その上に置かれる展示物（４）に当たらない為の凹み（３）を設ける。
（ハ）額縁表面部（２）の周囲には、額縁本体（１）と嵌合する為の複数の爪部（７）を設ける。
（ニ）額縁表面部（２）は透明樹脂で成形され、表示物の固定と保護を兼ね備えたものであるが、不透明樹脂により枠部分（１０）のみを成形し、表示物の保護は透明の板（９）を備えることもできる。
本発明は以上のような構造である。
【実施例１】額縁本体（１）を壁面の希望する位置に押し付けたまま、内側の穴（７）に其々鋲釘ネジなどの固定用部材（４）を押し込んで壁面に固定する。固定された額縁本体（１）に対し展示物（４）を置き、さらにその上から額縁表面部（２）を被せ、押しつけることで、嵌合し固定される。
【実施例２】額縁本体（１）の裏側より、吸盤（６）を取り付けた後、壁面の希望する位置に押し付け固定させる。その後は［実施例１］と同様に展示物（４）と額縁表面部（２）を取り付ける。
【実施例３】額縁本体（１）の取付方法は［実施例１］［実施例２］と同様であるが、額縁表面部（２）を不透明樹脂で制作した場合、額縁本体（１）の上に展示物（４）、透明板（９）、不透明額縁枠（１０）の順で設置される。
【符号の説明】
【０００９】１  額縁本体
２  額縁表面部
３  凹部
４  展示物
５  鋲、釘、ネジ等固定用部材
６  吸盤
７  爪
８  穴
９  透明板
１０  不透明額縁枠
１１  額縁表面部を脱着している途中の爪の状態
【図１】
2012232078.tif 000003
【図２】
2012232078.tif 000004
【図３】
2012232078.tif 000005
【図４】
2012232078.tif 000006
【図５】
2012232078.tif 000007
【図６】
2012232078.tif 000008
【図７】
2012232078.tif 000009
(57)【要約】【課題】ノートにのりで貼り付けたいものがあるとき手間がかからないように、ノートの表面にあらかじめのりが添付されているのり付きノートを提供する。【解決手段】ノートの表面にのりを添付し、その上に簡単に剥がせる紙を取り付けてあるのり付きノートを特徴とする。【選択図】図３
2012232568.tif 000002
【特許請求の範囲】
【請求項１】
ノートの表面にのりを添付し、その上に、簡単に剥がせる紙を設けたのり付きノート
【発明の詳細な説明】
【技術分野】
【０００１】この発明は、ノートの表面にのりを設けたのり付きノートに関するものである
【背景技術】
【０００２】従来、ノートとのりは別々になっていた
【先行技術文献】
【０００３】
【特許文献１】
【非特許文献２】
【発明の概要】
【発明が解決しようとする課題】
【０００４】これは、次のような欠点があった。
従来ノートに何か貼り付けなければならないとき、のりを用意し、そして貼り付けたいものもしくは貼り付けるノートにのりをつけなければならず、手間がかかった。
本発明は以上のような欠点をなくすためになされたものである。
【議題を解決するための手段】
【０００５】  ノートの表面にのりを添付し、その上にのりがついても簡単に引き剥がし可能な紙をもう１枚設ける。
本発明は以上の構成よりなるのり付きノートである。
【発明の効果】
【０００６】  のりがノートにすでに添付されているので、のりを用意する手間と貼り付ける手間が省ける。
【図面の簡単な説明】
【０００７】
【図１】  本発明の正面図である。
【図２】  本発明の側面図である。
【図３】  本発明の分解正面図である。
【発明を実施するための形態】
【０００８】以下、本発明を実施するための形態について説明する。
ノートの表面にのりを添付し、その上にのりがついていても簡単に手で剥がせる紙をもう１枚取り付ける（両面テープを想像するとわかりやすい）。
本発明は、以上のような構造である。
これを使用するときは、一番上の紙を手で剥がすとのりがついたノートだけになるので、そこに貼り付けたいものを貼り付ければよい。
ノートの端にルーズリーフと同じ穴を開ければ、バインダーから自由に付け外しも可能である。
【符号の説明】
【０００９】  １    紙
２    のり
３    ノート
【図１】
2012232568.tif 000003
【図２】
2012232568.tif 000004
【図３】
2012232568.tif 000005